(57)【要約】      （修正有）【課題】遺物を視認したり触れることにより、故人や亡くなったペットをより身近に感じることができるとともに、大切な遺物を紛失させることなく、かつ確実に保護する遺物収納アクセサリを提供する。【解決手段】遺物収納アクセサリ１は、遺骨が収納される遺物収納具を有しており、遺物収納具は、内側パーツ２と、内側パーツ２を着脱自在に嵌め込み収納する外側パーツ３とを有し、内側パーツ２の外面には、開口２ｂを有する凹状の収納部２ａが、内側パーツ２を外側パーツ３に収納した状態において開口２ｂが外側パーツ３の一面に対向する位置に形成され、両パーツ２、３のそれぞれには貫通孔２ｃ、３ｃが形成され、両貫通孔２ｃ、３ｃには、装身用の保持部材が挿通されて、両パーツ２、３が、保持部材により一体に保持され、収納部２ａには、両パーツ２、３が分離された状態において、遺物が視認可能に固定収納される。【選択図】図１
0003234474.tif 000002
【実用新案登録請求の範囲】
【請求項１】
遺物収納具の内部に遺物が収納された遺物収納アクセサリにおいて、
遺物収納具は、
内側パーツと、内側パーツを着脱自在に嵌め込み収納する外側パーツとを有し、
内側パーツの外面および外側パーツの内面の少なくともいずれか一方には、開口を有する凹状の収納部が、内側パーツを外側パーツに収納した状態において該開口が外側パーツまたは内側パーツの一面に対向する位置に形成されており、
内側パーツおよび外側パーツのそれぞれには貫通孔が形成され、両貫通孔には、装身用の保持部材が挿通されて、両パーツが、両貫通孔に挿通された保持部材により一体に保持されるようになっており、
遺物収納具に形成された収納部には、内側パーツと外側パーツとが分離された状態において、遺物が視認可能に固定収納されていることを特徴とする遺物収納アクセサリ。
【請求項２】
内側パーツと外側パーツの双方には、それぞれが引き合う強磁性部材が取り付けられていることを特徴とする請求項１に記載の遺物収納アクセサリ。
【請求項３】
遺物を内部に収納する遺物収納具において、
内側パーツと、内側パーツを着脱自在に嵌め込み収納する外側パーツとを有し、
内側パーツの外面および外側パーツの内面の少なくともいずれか一方には、開口を有する凹状の収納部が、内側パーツを外側パーツに収納した状態において該開口が外側パーツまたは内側パーツの一面に対向する位置に形成されており、
内側パーツおよび外側パーツのそれぞれには貫通孔が形成され、両貫通孔には、装身用の保持部材が挿通されて、両パーツが、両貫通孔に挿通された保持部材により一体に保持されるようになっており、
収納部には、内側パーツと外側パーツとが分離された状態において、遺物が視認可能に収納されるようになっていることを特徴とする遺物収納具。
【請求項４】
内側パーツと外側パーツの双方には、それぞれが引き合う強磁性部材が取り付けられていることを特徴とする請求項３に記載の遺物収納具。
【考案の詳細な説明】
【技術分野】
【０００１】
本考案は、遺骨や遺灰などの遺物が収納され装着可能な遺物収納アクセサリおよび遺物を収納する遺物収納具に関する。
【背景技術】
【０００２】
従来より、故人や亡くなったペットをいつでも身近に感じて偲ぶことができるように、遺物（故人や亡くなったペットの遺骨や遺灰など）を収納した遺物収納アクセサリを身に着けることが行われている。このように遺物収納アクセサリを身に着けることは、遺された者の心の安定にもつながっている。遺物収納アクセサリとしては、ネックレスや指輪などがある。
【０００３】
遺物収納アクセサリとしては、例えば、遺物を収納する収納本体と、収納本体の開口部を閉鎖する蓋体とを有し、蓋体は収納本体の開口部側に螺嵌されるもの（従来例）が知られている。特許文献１に示すようなペンダント形態の遺骨収納具や、特許文献２に示すような遺骨等を内部に収納する装身具も考えられている。
【０００４】
特許文献１に示す遺骨収納具は、遺骨粉や遺骨片を粘土中に練り込んで成形したものを焼結して得た焼結体を、収納本体内に形成された空洞部内に転動可能に収納する。
【０００５】
特許文献２に示す装身具は、有底の円孔が形成された装身具本体と、遺骨収納体とを有しており、遺骨収納体は遺骨等を収納した状態で開口部が蓋体によって閉塞されるとともに、遺骨収納体の外周面に形成された雄ねじを装身具本体の円孔の内周面に形成された雌ねじにねじ込むことにより、装身具本体の円孔に穿設する。
【先行技術文献】
【特許文献】
【０００６】
【特許文献１】特開２００８−１２５８５８号公報
【特許文献２】特許第５３５２７０１号公報
【考案の概要】
【考案が解決しようとする課題】
【０００７】
しかしながら、従来例の遺物収納アクセサリでは、身に着けている間に蓋体の螺嵌が緩んで収納本体から外れ、収納本体の内部に収納された遺骨等が意図せず外部に散乱してしまうおそれがあった。
【０００８】
特許文献１による遺骨収納具では、遺骨粉や遺骨片を含む焼結体が環境下へ露出する形態で収納されているため、大切な遺物が紫外線にさらされ時間とともに劣化してしまうことがあった。
【０００９】
特許文献２による装身具は、遺骨収納体の蓋体が外れてしまうと収納された遺骨等が外部に散乱してしまうおそれがあった。また、遺骨の散乱防止のために遺骨収納体の開口と蓋体との隙間をロウ付けで塞ぐことも考えられているが、このようにすると遺骨収納体は遺骨等が収納された開口部が蓋体によって完全に閉塞され、その後、容易に遺骨等を視認したり触れたりすることができなくなってしまう。さらに、装身具を身に着けている間に遺骨収納体と装身具本体とのねじ込みが緩み、遺骨収納体が外れ、遺骨等が紛失してしまうことも懸念される。
【００１０】
本考案は前述の点に鑑みてなされたものであり、故人や亡くなったペットをより身近に感じることができるとともに、大切な遺物を紛失させることなく、かつ確実に保護することができる遺物収納アクセサリを提供することを目的とする。
【課題を解決するための手段】
【００１１】
以下では、本考案の理解を容易にするために、本考案の実施形態を示す図面に対応する符号を付して説明するが、これに限定されるものではない。
【００１２】
前記目的を達成するために、本考案に係る遺物収納アクセサリ１は、
遺物収納具４の内部に遺物Ｒが収納された遺物収納アクセサリ１において、
遺物収納具４は、内側パーツ２と、内側パーツ２を着脱自在に嵌め込み収納する外側パーツ３とを有し、
内側パーツ２の外面および外側パーツ３の内面の少なくともいずれか一方には、開口２ｂを有する凹状の収納部２ａが、内側パーツ２を外側パーツ３に収納した状態において該開口２ｂが外側パーツ３または内側パーツ２の一面に対向する位置に形成されており、
内側パーツ２および外側パーツ３のそれぞれには貫通孔２ｃ、３ｃが形成され、両貫通孔２ｃ、３ｃには、装身用の保持部材Ｋが挿通されて、両パーツ２、３が、両貫通孔２ｃ、３ｃに挿通された保持部材Ｋにより一体に保持されるようになっており、
遺物収納具４に形成された収納部２ａには、内側パーツ２と外側パーツ３とが分離された状態において、遺物Ｒが視認可能に固定収納されていることを特徴とする。
【００１３】
また本考案に係る遺物収納具４は、
遺物Ｒを内部に収納する遺物収納具４において、
内側パーツ２と、内側パーツ２を着脱自在に嵌め込み収納する外側パーツ３とを有し、
内側パーツ２の外面および外側パーツ３の内面の少なくともいずれか一方には、開口２ｂを有する凹状の収納部２ａが、内側パーツ２を外側パーツ３に収納した状態において該開口２ｂが外側パーツ３または内側パーツ２の一面に対向する位置に形成されており、
内側パーツ２および外側パーツ３のそれぞれには貫通孔２ｃ、３ｃが形成され、両貫通孔２ｃ、３ｃには、装身用の保持部材Ｋが挿通されて、両パーツ２、３が、両貫通孔２ｃ、３ｃに挿通された保持部材Ｋにより一体に保持されるようになっており、
収納部２ａには、内側パーツ２と外側パーツ３とが分離された状態において、遺物Ｒが視認可能に収納されるようになっていることを特徴とする。
【００１４】
本考案に係る遺物収納アクセサリ１および遺物収納具４によれば、内側パーツ２は外側パーツ３に着脱自在に収納されており、遺物Ｒは収納部２ａに視認可能に固定されるので、内側パーツ２を外側パーツ３から取り出すことにより、容易に遺物Ｒを視認したり遺物Ｒに触れることができる。また、両パーツ２、３に貫通形成された両貫通孔２ｃ、３ｃに保持部材Ｋが挿通されており、これにより内側パーツ２が外側パーツ３から外れ分離してしまうことを防止することができる。さらに、収納部２ａの開口２ｂは、内側パーツ２を外側パーツ３に嵌め込み収納される状態において、外側パーツ３の内面または内側パーツ２の外面に対向することにより被覆されるので、収納部２ａに収納された遺物Ｒが紫外線などにより劣化してしまうことを防止することができる。
【００１５】
収納部２ａの内部へ遺物Ｒを埋め込み固定するには、収納部２ａの内部へ、遺骨などの遺物Ｒを、例えば透明樹脂などの固定材料Ｆとともに流し込み、その後、熱をかけ、もしくは光線（紫外線など）を照射することによって硬化させることで実現することができる。これ以外にも、例えば、遺物Ｒ自体を収納部２ａ内に直接接着したり、さらには粘土などとともに遺物を成形焼結した焼結体を収納部内に接着することによっても実現することができる。
【００１６】
また、前述の遺物収納アクセサリ１および遺物収納具４において、両パーツ２、３には、それぞれが引き合う強磁性部材２ｄ、３ｄが取り付けられていてもよい。このような構成を採用することにより、内側パーツ２と外側パーツ３とが両強磁性部材２ｄ、３ｄにより引き合うので、内側パーツ２が外側パーツ３から外れてしまうことをより防止することができる。
【考案の効果】
【００１７】
本考案に係る遺物収納アクセサリおよび遺物収納具は、遺物を視認したり触れることにより、故人や亡くなったペットをより身近に感じることができるとともに、大切な遺物を紛失させることなく、かつ確実に保護することができる。
【図面の簡単な説明】
【００１８】
【図１】本考案に係る遺物収納アクセサリの第１実施形態を示す分解斜視図
【図２】図１の遺物収納アクセサリにおける透過分解斜視図
【図３】図１の遺物収納アクセサリにおける内側パーツを外側パーツに収納した状態を示す透過斜視図
【図４】図３における遺物を収納した遺物収納体状態でのＡ−Ａ線における断面図
【図５】図３におけるＢ−Ｂ線における断面図
【図６】本考案に係る遺物収納アクセサリの第２実施形態を示す正面図
【図７】図６の遺物収納アクセサリに用いた遺物収納具における透過分解斜視図
【図８】図６の遺物収納アクセサリにおける内側パーツを外側パーツに収納した状態を示す正面断面図
【図９】（ａ）は図７の遺物収納アクセサリにおける他の実施形態を示す透過分解斜視図、（ｂ）は図８の遺物収納アクセサリにおける他の実施形態を示す正面断面図
【図１０】（ａ）〜（ｆ）はそれぞれ本考案に係る遺物収納アクセサリの他の実施形態を示す透過斜視図
【考案を実施するための形態】
【００１９】
以下、図１から図１０に基づいて、本考案に係る遺物収納アクセサリの一実施形態を説明する。本考案に係る遺物収納アクセサリ１は、遺骨、遺灰、遺髪、遺毛、遺爪などの故人や亡くなったペットの一部のほか、故人や亡くなったペットの遺品などの遺物を収納し、持ち歩き可能な遺物収納アクセサリ１に関する。以下では、遺物として遺骨を収納する場合を例として説明するが、本考案はこれに限定されるものではない。
【００２０】
＜第１実施形態＞
図１および図２に示すように、本実施形態に係る遺物収納アクセサリ１は、遺骨が収納される遺物収納具４を有しており、遺物収納具４は、ともに直方体形状の、内側パーツ２および外側パーツ３を有している。外側パーツ３は、内側パーツ２を着脱自在に内部に嵌め込み収納することができるようになっている。
【００２１】
図２に示すように、外側パーツ３には、内側パーツ２を内部に嵌め込み収納可能とするための、嵌入孔３ａが形成されている。図３から図５に示すように、嵌入孔３ａは、内側パーツ２を所定の隙間をもって嵌め込み可能な大きさに形成されており、これにより、内側パーツ２は外側パーツ３に対して着脱自在に収納されるとともに、一部（収納方向の後端面）が外側パーツ３から露出している。
【００２２】
内側パーツ２の外面には、凹状の収納部２ａが開口形成されている。図４に示すように、収納部２ａは、内側パーツ２を外側パーツ３に収納した状態において、該収納部２ａの開口２ｂが、外側パーツ３の内面に対向する位置に配置されている。
【００２３】
図３および５に示すように、内側パーツ２および外側パーツ３には、内側パーツ２が外側パーツ３に嵌め込み収納された状態において、両パーツ２、３を貫通するように貫通孔２ｃ、３ｃがそれぞれ形成されている。両貫通孔２ｃ、３ｃには、装身用の保持部材Ｋが両貫通孔２ｃ、３ｃに渡って挿通されるようになっており、本実施形態においては保持部材Ｋとして環状のヒモ部材が用いられている。これにより、内側パーツ２が外側パーツ３から外れて分離してしまうことを防止することができるようになっている。保持部材Ｋとしては例えば金属製のリング部材やチェーンなど種々の部材を用いることができる。
【００２４】
さらに、両パーツ２、３には、内側パーツ２が外側パーツ３に収納された状態において、両パーツ２、３のそれぞれ対向する位置に強磁性部材２ｄ、３ｄが配設されている。内側パーツ２に配設された強磁性部材２ｄと、外側パーツ３に配設された強磁性部材３ｄとは、それぞれが引き合う性質のものであればよい。部材２ｄ、３ｄのいずれか一方をくっつける力をもつ磁石（永久磁石を含む）で構成し、部材２ｄ、３ｄのいずれか他方を磁石にくっつく性質を持つ鉄属遷移金属（Ｆｅ、Ｎｉ、Ｃｏなど）、若しくはその化合物（酸化物、硼化物、燐化物など）で構成してもよい。あるいは、部材２ｄ、３ｄの双方を磁石で構成することもできる。これにより、内側パーツ２は外側パーツ３から容易に外れないようになっている。
【００２５】
また、遺物収納具４における収納部２ａの内部には、遺物としての遺骨Ｒが収納されており、これにより遺物収納アクセサリが構成されている。一形態において遺骨Ｒは収納部２ａの内部において透明樹脂のような固定部材Ｆとともに収納部２ａの内部に埋め込まれるように固定されていることが好ましい。遺骨Ｒを収納部２ａに固定する固定部材Ｆは、半透明樹脂であってもよく、また無色でも有色であってもよい。
【００２６】
なお、遺骨を固定収納する場合の固定手段は、前述の樹脂からなる固定手段Ｆに限定されるものではなく、例えば遺骨Ｒ自体を収納部２ａの周面に直接接着したり、さらには粘土などとともに遺骨Ｒを成形焼結し、この成形焼結した焼結体を収納部２ａに接着する手段など、収納部２ａの開口２ｂから遺骨Ｒを視認可能な種々の固定手段を用いることができる。
【００２７】
遺物収納アクセサリ１の、内側パーツ２の外面および外側パーツ３の内面の少なくともいずれかに形成された収納部２ａの内部へ遺物を埋め込み固定するには、収納部２ａの内部へ、遺骨Ｒなどの遺物を、例えば透明樹脂などの固定材料とともに流し込み、その後、熱をかけ、もしくは光線（紫外線など）を照射することによって硬化させることで実現することができる。これ以外にも、例えば、遺物自体を収納部内に直接接着したり、さらには粘土などとともに遺物を成形焼結した焼結体を収納部内に接着することによっても実現することができる。
【００２８】
本実施形態に係る遺物収納アクセサリ１によれば、内側パーツ２は外側パーツ３に着脱自在に収納されており、遺骨Ｒは内側パーツ２の収納部２ａに透明樹脂によって固定され、開口２ｂは露出されているので、内側パーツ２を外側パーツ３から取り出すことにより、容易に遺骨Ｒを視認したり遺骨に触れることができる。
【００２９】
また、本実施形態の遺物収納アクセサリ１によれば、両パーツ２、３に貫通形成された両貫通孔２ｃ、３ｃに保持部材Ｋが挿通されており、これにより内側パーツ２が外側パーツ３から外れて分離してしまうことを防止することができる。
【００３０】
さらに、収納部２ａの開口２ｂは、内側パーツ２を外側パーツ３の嵌入孔３ａに嵌め込み収納される状態において、外側パーツ３の内面に対向することにより外側パーツ３に被覆されるので、収納部２ａに収納された遺骨Ｒが紫外線などにより劣化してしまうことを防止することができる。
【００３１】
したがって、本実施形態に係る遺物収納アクセサリ１は、遺骨Ｒを視認したり触れることにより、故人や亡くなったペットをより身近に感じることができるとともに、大切な遺骨Ｒをなくすことなく、かつ確実に保護することができる。
また、両パーツ２、３にそれぞれが引き合う強磁性部材２ｄ、３ｄを配設することにより、内側パーツ２と外側パーツ３とが両強磁性部材２ｄ、３ｄにより引き合うので、内側パーツ２が外側パーツ３から外れてしまうことをより防止することができる。
【００３２】
なお、本実施形態においては、両パーツ２、３に強磁性部材２ｄ、３ｃが取り付けられているが、本考案はこれに限定されるものではなく、強磁性部材が取り付けられていなくてもよい。さらに、両パーツ２、３を引き付ける手段は強磁性部材でなくても、種々の手段を用いることができる。
【００３３】
＜第２実施形態＞
図６および図７に示すように、第２実施形態に係る遺物収納アクセサリ５は、遺物収納具８を有しており、遺物収納具８は、２つの外側パーツ６Ａ、６Ｂと、１つの内側パーツ７と、で構成されている。
【００３４】
第１外側パーツ６Ａは、外観が樽型無底で内部に円筒状の空間を有している。具体的には、対向する環状の側面６Ａａと、両側面６Ａａを連設する曲線状の周面６Ａｂと、対向する両側面６Ａａを貫通する円筒状の中空と、を有している。
第２外側パーツ６Ｂおよび内側パーツ７は、ともに、円筒状の本体６Ｂａ、７ａと、本体６Ｂａ、７ａの一端縁から本体の外周方向に延出して連設された環状部６Ｂｂ、７ｂと、円筒状の本体６Ｂａ、７ａの内部に同軸上に形成された円筒状の空間と、を有している。
【００３５】
第１外側パーツ６Ａの内部に形成された円筒状の空間は、第２外側パーツ６Ｂを嵌め込み収納する嵌入孔６Ａｃとされており、嵌入孔６Ａｃは図８の拡大部分に示すように、第２外側パーツ６Ｂにおける円筒状の本体６Ｂａを所定の隙間をもって嵌め込み可能な大きさに形成されている。第２外側パーツ６Ｂは、その本体６Ｂａが、外側パーツ６Ａの一方の側面６Ａａ側から、外側パーツ６Ａの嵌入孔６Ａｃに嵌め込まれて収納されるようになっている。これにより第２外側パーツ６Ｂは第１外側パーツ６Ａに対して着脱自在に収納されている。
【００３６】
第２外側パーツ６Ｂの本体６Ｂａ内部に形成された円筒状の空間は、内側パーツ７を嵌め込み収納する嵌入孔６Ｂｃとされており、嵌入孔６Ｂｃは、内側パーツ７における円筒状の本体７ａを所定の隙間をもって嵌め込み収納可能な大きさに形成されている。内側パーツ７は、その本体７ａが、第２外側パーツ６Ｂの本体６Ｂａの嵌入孔６Ｂｃに、外側パーツ６Ａの他方の側面６Ａａ側から嵌め込まれて収納されるようになっている。これにより内側パーツ７は第２外側パーツ６Ｂに対して着脱自在に収納され、この結果、第１外側パーツ６Ａに対しても着脱自在に収納されている。
【００３７】
第２外側パーツ６Ｂおよび内側パーツ７における環状部６Ｂｂ、７ｂの外周縁の直径は、第１外側パーツ６Ａの両側面６Ａａにおける内周縁の直径と比較して長く形成されており、これにより第２外側パーツ６Ｂおよび内側パーツ７が第１外側パーツ６Ａの嵌入孔６Ａｃに入り込んで反対側から外れてしまうことを防止できるようになっている。
【００３８】
内側パーツ７の外面には、凹状の収納部７ｄが開口形成されており、収納部７ｄは、内側パーツ７を第２外側パーツ６Ｂに収納した状態において、該収納部７ｄの開口７ｅが、第２外側パーツ６Ｂの本体６Ｂａにおける内面に対向する位置に配置されている。
【００３９】
図８に示すように、第２実施形態に係る遺物収納アクセサリ５は、第２外側パーツ６Ｂが第１外側パーツ６Ａに嵌め込み収納され、内側パーツ７が第２外側パーツ６Ｂに嵌め込み収納された状態において、両外側パーツ６Ａ、６Ｂの嵌入孔６Ａｃ、６Ｂｃおよび内側パーツ７の本体の中空が、各パーツ６Ａ、６Ｂ、７を貫通し、装身用の保持部材Ｋが挿通される貫通孔６Ａｃ、６Ｂｃ、７ｃとして機能するようになっている。
【００４０】
第２実施形態に係る遺物収納アクセサリ５におけるその他の構成は、第１実施形態に係る遺物収納アクセサリ１の構成と同様である。
【００４１】
第２実施形態に係る遺物収納アクセサリ５によれば、内側パーツ７が第２外側パーツ６Ｂを介して第１外側パーツ６Ａに着脱自在に収納されており、遺骨Ｒは内側パーツ７の収納部７ｄに透明樹脂によって固定収納され、開口７ｅは露出しているので、内側パーツ７を両外側パーツ６Ａ、６Ｂから取り出すことにより、容易に遺骨Ｒを視認したり遺骨Ｒに触れることができる。
【００４２】
また、第２実施形態の遺物収納アクセサリ５によれば、各パーツ６Ａ、６Ｂ、７に貫通形成された各貫通孔６Ａｃ、６Ｂｃ、７ｃに保持部材Ｋが挿通されており、これにより各パーツ６Ａ、６Ｂ、７が分離してしまうことを防止することができる。
【００４３】
さらに、収納部７ｄの開口７ｅは、内側パーツ７を両外側パーツ６Ａ、６Ｂの嵌入孔６Ａｃ、６Ｂｃに嵌め込み収納される状態において、第２外側パーツ６Ａの内面に対向することにより被覆されるので、収納部７ｄに収納された遺骨Ｒが紫外線などにより劣化してしまうことを防止することができる。
【００４４】
したがって、本実施形態に係る遺物収納アクセサリ５は、遺骨Ｒを視認したり触れることにより、故人や亡くなったペットをより身近に感じることができるとともに、大切な遺骨Ｒをなくすことなく、かつ確実に保護することができる。
【００４５】
ここで、第２実施形態における遺物収納アクセサリ５は、２つの外側パーツ６Ａ、６Ｂを備えているが、第２実施形態における第２外側パーツ６Ａを第１内側パーツとし、内側パーツ７を第２内側パーツとして、１つの外側パーツと２つの内側パーツを備え、第１内側パーツの本体における外面であって該収納部が外側パーツの内面に対向する位置に収納部を形成するようにしてもよい。このように、外側パーツおよび内側パーツは複数の部材から構成されていてもよい。
【００４６】
また、第１外側パーツ６Ａは、外観が樽型無底であるが、これに限定されず、円筒形状など種々の形状が考えられる。また、図６から図８において第２実施形態の第１外側パーツ６Ａの周面６Ａｂは平坦状であるが、装飾されていてもよい。
【００４７】
さらに、第２実施形態に係る遺物収納アクセサリ５における他の例として、図９（ａ）（ｂ）に示すように、内側パーツ７の環状部７ｂに強磁性部材７ｆを配設し、第１外側パーツ６Ａに第２外側パーツ６Ｂが収納されることにより、第２外側パーツ６Ｂを介して第１外側パーツ６Ａに内側パーツ７が収納された状態において第１外側パーツ６Ａの側面６Ａａにおける強磁性部材７ｆが対向する位置に、強磁性部材７ｆに引き合う強磁性部材６Ａｆを配設してもよい。さらにまた、第２外側パーツ６Ｂの環状部６Ｂｂに強磁性部材６Ｂｆを配設し、第１外側パーツ６Ａに第２外側パーツ６Ｂが収納された状態において、第１外側パーツ６Ａの側面６Ａａにおける強磁性部材６Ｂｆが対向する位置に、強磁性部材６Ｂｆに引き合う強磁性部材６Ａｇを配設してもよい。これにより、第１外側パーツ６Ａ、第２外側パーツ６Ｂ、内側パーツ７がそれぞれ容易に分離してしまうことを防止することができる。なお、図９（ａ）において強磁性部材７ｆ、６Ａｆ、６Ｂｆ、６Ａｇはそれぞれ２つ配設されているが、強磁性部材７ｆ、６Ａｆ、６Ｂｆ、６Ａｇの数はいくつであってもよい。
【００４８】
＜その他の実施形態＞
なお、本考案に係る遺物収納アクセサリは前述の本実施形態の構成に限定されるものではなく、種々の形状に形成することができる。図１０（ａ）から（ｆ）は、本考案に係る遺物収納アクセサリのさらに他の実施形態の一例を示す概略斜視図である。例えば図１０（ａ）（ｂ）に示すように、第１実施形態に示すような遺物収納アクセサリの直方体形状の内側パーツを使用し、外側パーツを平面形状が十字形状や円形状となるように形成してもよい。また内側パーツおよび外側パーツを、図１０（ｃ）（ｄ）に示すように立方体形状に形成したり、図１０（ｅ）に示すように円柱形状に形成したり、図１０（ｆ）に示すように三角柱形状にしてもよい。内側パーツおよび外側パーツも自由に組み合わせることができる。
【００４９】
また、前述の各実施形態に係る遺物収納アクセサリ１、５によれば、収納部２ａ、７ｄは内側パーツ２、７に形成されているが、本考案に係る遺物収納アクセサリの収納部は、外側パーツの内面であって、内側パーツを外側パーツに収納した状態において収納部の開口が内側パーツの内面に対向する位置に形成されていてもよい。
【符号の説明】
【００５０】
１  遺物収納アクセサリ
２  内側パーツ
２ａ  収納部
２ｂ  開口
２ｃ  貫通孔
２ｄ  磁石部材
３  外側パーツ
３ａ  嵌入孔
３ｃ  貫通孔
３ｄ  磁石部材
４  遺物収納具
Ｒ  遺骨
Ｆ  固定部材  
Ｋ  保持部材
【図１】
0003234474.tif 000003
【図２】
0003234474.tif 000004
【図３】
0003234474.tif 000005
【図４】
0003234474.tif 000006
【図５】
0003234474.tif 000007
【図６】
0003234474.tif 000008
【図７】
0003234474.tif 000009
【図８】
0003234474.tif 000010
【図９】
0003234474.tif 000011
【図１０】
0003234474.tif 000012